(57)【要約】  正硬貨が硬貨投入孔内に導入されて機械を起動するための取っ手が回動されたときに、ギヤ機構を動作状態にして機械を起動し、商品を提供するタイプの機械式販売機に対して適用される自立広告システムである。本システムは、電池（２）により給電される電子制御盤（１）であって、少なくとも一つのマイクロコントローラ（３）と音声合成手段（４）とをそれぞれ有する電子制御盤（１）と、マイクロコントローラ（３）の入力端に接続され機械を起動するギヤ機構の回転を検出する手段（８）と、マイクロコントローラ（３）に制御される照明手段（７）と、音声合成手段（４）に接続された少なくとも一つの拡声器（６）と、を備える。ギヤ機構の回転を検出する手段（８）がギヤ機構の動きを検出すると、マイクロコントローラ（３）が照明手段（７）と音声合成手段（４）とを予め設定された期間にわたり起動し、それによって公衆の関心を引く。
2009537884.tif 000002
【特許請求の範囲】
【請求項１】
正硬貨が硬貨投入孔（１４）に挿入されて機械を起動するための取っ手（１３）が回動されたときに、ギヤ機構（１６）を動作状態にして機械を起動し、商品（１１）を提供するタイプの機械式販売機用の自立広告システムにおいて、
少なくとも一つの電池（２）により給電される少なくとも一つの電子制御盤（１）であって、アナログ及び／又はデジタルの入力端と出力端を有する少なくとも一つのマイクロコントローラ（３）と、音声合成手段と、を備える電子制御盤（１）と、
前記取っ手（１６）の回動を検出し、前記マイクロコントローラ（３）の入力端の少なくとも一つに接続された前記機械を起動させる手段（８）と、
前記少なくとも一つのマイクロコントローラ（３）により制御される複数の照明手段（７）と、
前記音声合成手段（４）に接続された少なくとも一つの拡声器（６）と、を備え、
前記ギヤ機構の回転を検出する手段（８）がその動きを検出したときに、前記少なくとも一つのマイクロコントローラ（３）が予め設定された時間に従い前記照明手段（７）と前記音声合成手段（４）とを起動する、ことを特徴とする広告システム。
【請求項２】
前記販売機が連携動作型であると共に傾斜路（１０）を有し、前記商品（１１）は前記機械が起動された時に傾斜路（１０）に沿ってユーザに向かって滑り落ち、前記システムは、前記商品（１１）の動きを検出する手段（１８）が前記少なくとも一つのマイクロコントローラ（３）に接続されて、前記傾斜路（１０）の複数の領域内に組み込まれており、前記商品（１１）の動きを検出する手段（１８）が前記商品（１１）の動きを検出したときに、前記マイクロコントローラが予め設定されたモードに従って前記照明手段（７）と前記音声合成手段（４）を起動する、請求項１記載の広告システム。
【請求項３】
前記商品（１１）の動きを検出する手段（１８）が複数の小型押しボタンからなる、請求項１又は２記載の広告システム。
【請求項４】
前記ギヤ機構（１６）の回転を検出して前記機械を起動する手段（８）が、前記ギヤ機構（１６）の歯の動きにより起動される小型押しボタンからなる、請求項１〜３のいずれか１項に記載の広告システム。
【請求項５】
前記照明手段（７）が高輝度発光ダイオードである、請求項１〜４のいずれか１項に記載の広告システム。
【請求項６】
前記少なくとも一つのマイクロコントローラ（３）が、前記照明手段（７）と前記音声合成手段（４）を起動する期間を除き最小消費モードにとどまる、請求項１〜５のいずれか１項に記載の広告システム。
【請求項７】
前記少なくとも一つの電池を再充電するための光起電性センサ（２１）が組み込まれている、請求項１〜６のいずれか１項に記載の広告システム。
【請求項８】
夜間に商品を提供する必要なしに、広告照明システムの一部を接続する少なくとも一つの電池（２）により給電される光検出システム（２２）を有する、請求項７記載の広告システム。
【請求項９】
前記光検出システム（２２）が、前記マイクロコントローラ（３）に接続した光センサからなる、請求項８記載の広告システム。
【請求項１０】
前記照明手段（７）と前記音声合成手段（４）の起動を予め設定されたスケジュールで制御する手段が組み込まれている、請求項１〜９のいずれか１項に記載の広告システム。
【発明の詳細な説明】
【技術分野】
【０００１】
本発明は、玩具またはチューイングガム、ドライフルーツ、ナッツ等の他の商品を中に含む球状または楕円状のプラスチック製ボールを提供するタイプの、電気的接続なしに作動する機械式販売機のための広告システムであって、ユーザの関心を引くために照明や音声の使用に基づく広告がその中に組み込まれたシステムに関する。
【背景技術】
【０００２】
玩具またはチューイングガム、ドライフルーツ、ナッツ等をプラスチック製ボール内に入れて販売するのに用いる機械式販売機（電気的接続を用いない）は機械であり、その操作システムは、機械式動作により直接的に商品販売を行うか、またはその提供前に商品と連携動作させて行うかに専ら限定されるものである。これらは、機械自体又は機械内商品のみでしか客を引き付けることができない全ての機械に該当する。
【０００３】
通常、機械式販売機には、連携動作型と非連携動作型の２種類が存在する。前者の場合、ユーザはボールすなわち商品と提供前に連携動作するものであり、商品の販売に娯楽性を加えることが可能である。通常これはピンポールタイプの機械であって、個別ボタンまたは他の手段により操作される側部旋回体を備えており、提供前のボールすなわち商品に打撃を与えて、機械内に配置されたトレイからボールすなわち商品を引き出して受け取ることができる。後者の場合、ユーザは硬貨を挿入して取っ手を回動させることに制限されるものであり、提供されるボールすなわち商品は、機械内に配置されたトレイ内に落下して受け取られる。
【発明の概要】
【発明が解決しようとする課題】
【０００４】
本発明の目的は、既存のまたは将来の機械に適用できるシステムを追加することによって、対象顧客の関心を増大させ、音声及び照明効果を取り込み、顧客との連携動作の可能性を含め、公衆の関心を高めることで客寄せ効果を増大させることである。本発明は、機械が作動した時にこれを検出するシステムで機械を始動し、照明と音声のシステムに加え、光センサを用いて光を検出するシステムを制御し、暗くなった時に商品を提供する必要なしに機械の照明システムの一部を起動して、機械の客寄せ効果と費用効果とを増大させるシステムにより形成される自立型電子システムを実装することよりなる。
【課題を解決するための手段】
【０００５】
本発明は、請求項１による機械式販売機用の広告システムに関する。本システムの好ましい実施形態は、従属請求項に規定される。
【０００６】
本広告システムは、正硬貨が硬貨投入孔内に導入され、機械を起動するための取っ手が回動されたときに、ギヤ機構を動作状態にして機械を起動し、商品を提供するタイプの機械式販売機に対して適用されるものである。
【０００７】
このシステムは、少なくとも一つの電池により給電される少なくとも一つの電気制御盤で構成され、各電子盤がアナログ及び／又はデジタル入力端と出力端とを有する少なくとも一つのマイクロコントローラと、音声合成手段とを有する。本システムはさらに、少なくとも一つのマイクロコントローラに接続されギヤ機構の取っ手の回動を検出して機械を起動する手段と、少なくとも一つのマイクロコントローラにより制御される複数の照明手段と、音声合成手段に接続された少なくとも一つの拡声器とが組み込まれている。機械を起動するギヤ機構の回転を検出する手段は、例えばギヤ機構の近くに配置され、ギヤ機構の歯の一つの動きにより起動される小型押しボタンとしてもよい。照明手段は、例えば高輝度発光ダイオードとすることができる。
【０００８】
このシステムは、ギヤ機構の回転を検出する手段がその動きを検出するときに、通常マイクロコントローラの内部メモリが記憶する所定時間に従って、少なくとも一つのマイクロコントローラが照明手段と音声合成手段を起動する。
【０００９】
電池電力を節約するため、マイクロコントローラは、照明手段と音声合成手段を起動する期間を除き最小消費状態、いわゆるスリープモードのままとする。本システムの自立性はこのようにして増大する。システムの自立性を増大させるべく、その設置場所のおかげで機械を照らす自然光や人工光が使用できる機械において、このシステムは機械のどこかに配置される光起電性センサを組み込み、光起電性エネルギを用いて電池を再充電することができる。これは一日の大半の時間に戸外にあるか施設の外部にある機械にとって格別有用である。この場合、本発明は光起電性センサにより予め再充電された電池の一つにより給電される光検出システムを有しており、暗くなったときに、商品を一切提供する必要なしに、かつ機械に対する顧客の注目を喚起する目的だけのために、センサは広告照明システムの一部を接続する。
【００１０】
さらに、傾斜路を有し、機械の起動時に商品が傾斜路に沿ってユーザに向け摺動する連携動作型販売機、例えばピンボール型機械の場合、本発明は、少なくとも一つのマイクロコントローラに接続される、商品の動きを検出する手段を傾斜路の複数の領域内に組み込む。マイクロコントローラは、予め設定されたモードに従い、前記手段が商品の動きを検出したときに照明手段と音声合成手段を起動する。商品の動きを検出する手段は、衝撃により商品の動きを検出する複数の小型押しボタンで構成してもよく、または、例えばセンサの検出領域を商品が通過したときに動きを検出する近接センサ（光学式等）であってもよい。
【００１１】
時間制御チップをさらに組み込み、予め設定されたスケジュールにおいて広告の始動を制御し、その関心を引き付けようとする公衆の流れに合致させると同時にシステムの消費と自立性を制御することができる。これは、例えばほとんど光のない設備内で、システムが光起電性センサを介して給電されない場合に特に有用である。
【図面の簡単な説明】
【００１２】
【図１】非連携動作型販売機に実装される広告システムを示す基本的線図である。
【図２】提供するボールすなわち商品を格納する上部を含まない連携動作型機械式販売機を示す立面図である。
【図３】提供するボールすなわち商品を格納する上部を含まない、広告システムがj組み込まれた連携動作型機械式販売機を示す平面図である。
【図４】光起電性センサと光検出システムとが組み込まれた非連携動作型販売機に実装される広告システムを示す基本的線図である。
【発明を実施するための形態】
【００１３】
本発明のよりよい理解のために、本発明の例示的かつ非限定例である一実施形態を下記にごく簡潔に説明する。この目的のため添付図面の参照を行う。
【００１４】
機械式販売機用の広告システムの略図を示す図１から見てとれるように、本発明は電池２により給電される電子制御盤１を備える。前記制御盤１は、アナログ及び／又はデジタルの入力端を有するマイクロコントローラ３と、マイクロコントローラ３が命令したときに異なる音声サウンドまたはメロディーを生成する音声合成手段４と、を有する。通常、これらの音声合成手段４は音楽の生成と合成に特化したチップであり、販売機に組み込まれた拡声器６に接続されている。本システムはさらに、マイクロコントローラ３により制御されると共に音声信号と共にユーザに対する広告として機能する一連の照明手段７と、マイクロコントローラ３に接続されると共に機械を起動するためのギヤ機構の回転を検出する手段８と、を備える。
【００１５】
本システムの動作を図２と図３を考慮して説明する。これらの図は、広告システムを有する連携動作型機械式販売機の立面図と平面図をそれぞれ示す。これらの図は、本発明の動作がより良好に見て取れるように、提供対象である商品を格納するための上部を組み込んでいない。ただし、これらの図面は、機械内部に組み付けられる電子制御盤１を示していない。これらのタイプの販売機は傾斜路１０を有し、硬貨投入孔１４内に正硬貨を導入した後に機械起動用のレバー１３を回動させると、例えば内部に玩具を含むボール等の商品１１がこの傾斜路１０に沿って落下する。この回動により、機械を起動するギヤ機構１６が動作状態となり、機械が始動して、商品１１を消費することができる。
【００１６】
この場合小型押しボタンである、ギヤ機構１６の回動を検出する手段８がその動きを検出すると、マイクロコントローラ３が、この場合高輝度発光ダイオードである照明手段７と、音声合成手段４とを、ＥＥＰＲＯＭやフラッシュメモリに通常記憶されている予め設定された時間に従って起動する。これは他のユーザの関心を引くのに役立つ。
【００１７】
このシステムは、マイクロコントローラ３が通常最小消費状態にあるスリープモードにある場合、電池を節約する。マイクロコントローラ３は、照明及び音響システムを始動する時に初めて通常の動作状態に移行し、最小消費状態を離脱する。マイクロコントローラ３はこれらのシステムを切り離した瞬間に最小の消費状態に復帰し、本発明のシステムオブジェクトの自立性を増大させることになる。
【００１８】
図２と図３に示す実施形態において、本発明は、この場合には小型押しボタンである商品の動きを検出する手段１８が傾斜路１０内に組み込まれている。この、商品の動きを検出する手段１８は、両側押しボタン２０により起動される回動旋回体１９により強制的に投入された商品に打撃を加えることにより起動されて、電子システムを始動する。すなわち、マイクロコントローラ３の入力端に接続されたこれらの小型押しボタン１８が起動されると、マイクロコントローラが発光ダイオード７を始動し、拡声器６を介して聞かれる音声合成手段４を起動して、その時点で機械に近いところにいるユーザに対し、機械が関心を引くものとなるようにする。マイクロコントローラ３は、内部プログラムで設定された内容に従って、複数パラメータのうち、とりわけ照明及び音響手段の作動時間、各押しボタン１８ごとに見込まれる最大の押し回数、照明の組み合わせ、照明の点滅頻度や音声ゲームを制御する。
【００１９】
図４は、非連携動作型販売機内に組み込まれた広告システムの基本的な仕組みを示す。機械内には、電池２を再充電するために光起電性センサ２１が組み込まれている。暗くなったとき、電池２により給電される光検出システム２２は一切の商品を提供する必要なしに広告照明システムの一部を接続する。前記光検出システム２２は、電子制御盤１内部か、または図４に示す事例のように外部に組み付けることができる。光検出システム２２は、例えばマイクロコントローラ３の入力端の一つに接続された光起電性プレートまたは光センサの実際の電圧降下で構成できる。センサが送信する情報に従って、マイクロコントローラは既に暗くなったと考えるため、広告照明システムの一部を起動させるかどうかについて判断することになる。
【００２０】
この広告システムには、照明手段７と音声合成手段４の起動を予め設定されたスケジュールで制御する手段を組み込んでもよく、一日のうち所定時間に公衆を引き付け、機械が光起電性センサをもって作動しない場合であっても機械の自立性を増大させる。
【図１】
2009537884.tif 000003
【図２】
2009537884.tif 000004
【図３】
2009537884.tif 000005
【図４】
2009537884.tif 000006
【国際調査報告】
2009537884.tif 000007
2009537884.tif 000008
2009537884.tif 000009
2009537884.tif 000010
2009537884.tif 000011
2009537884.tif 000012